(57)【要約】【課題】  着用者の肌に触れても刺激を与えることなく、安定的に止着でき、かつ、操作性に優れたテープファスナを有する使い捨てのパンツ型着用物品の提供。【解決手段】  第１及び第２ウエスト域１３，１４のうちの少なくとも第１ウエスト域１４は横方向Ｘにおいて弾性を有しており、テープファスナ２０は、側縁部１８の近傍に固定された固定部２１と、テープファスナ２０を第２ウエスト域１３の外面に剥離可能に止着するための止着域６８を有する自由部２２とを含む。自由部２２は、止着域６８から横方向Ｘの外側に延びる摘持部６３を有し、自由部２２の自由端２０ａが第１ウエスト域１４の側縁１４ｄ近傍の非肌対向面に分離可能に固定されており、第１ウエスト域１４における止着域６８と自由部２１の自由端２０ａとの間の部位が収縮することによって、摘持部６３が凸曲した形状を有することを特徴とする。【選択図】図６
2014046049.tif 000002
【特許請求の範囲】
【請求項１】
縦方向及びそれに直交する横方向を有し、非肌対向面及びその反対側の肌対向面と、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品において、
前記第１及び第２ウエスト域のうちの少なくとも前記第１ウエスト域は前記横方向において弾性を有しており、
前記テープファスナは、前記第１ウエスト域の前記側縁部の近傍に固定された固定部と、前記テープファスナを前記第２ウエスト域の前記非肌対向面に剥離可能に止着するための止着域を有する自由部とを含み、
前記自由部は、前記止着域から前記横方向の外側に延びる摘持部と自由端とを有し、
前記自由部の前記自由端が前記第１ウエスト域の側縁近傍の前記非肌対向面に分離可能に固定されており、
前記第１ウエスト域における前記止着域と前記自由端との間の部位が収縮することによって、前記摘持部が凸曲した形状を有することを特徴とする前記着用物品。
【請求項２】
前記固定部と前記自由部とは、前記止着域よりも前記横方向の外側に位置する仮止め部において仮止めされており、前記仮止め部と前記自由端との間に前記摘持部が形成される請求項１に記載の着用物品。
【請求項３】
前記テープファスナが、繊維不織布から形成される請求項１又は２に記載の着用物品。
【請求項４】
前記止着域は、メカニカルファスナのフック要素である請求項１〜３のいずれかに記載の着用物品。
【請求項５】
前記テープファスナと前記第１ウエスト域の前記側縁部の前記非肌対向面とは、それぞれ、熱可塑性繊維を含む繊維不織布から形成されており、前記自由部の端縁は、前記側縁近傍において、繊維どうしを融着又は機械的に交絡させることによって分離可能に接合される請求項１〜４のいずれかに記載の着用物品。
【請求項６】
前記自由端の端縁と前記第１ウエスト域の前記側縁とが前記テープファスナの厚さ方向においてほぼ面一である請求項１〜５のいずれかに記載の着用物品。
【請求項７】
前記仮止め部は、前記テープファスナの積層された部分に加圧及び加熱加圧のいずれかの処理を施してある請求項１〜６のいずれかに記載の着用物品。
【請求項８】
前記自由部は、折曲された状態で前記固定部に仮止めされており、前記固定部と連なって前記テープファスナの厚さ方向において対向する第２自由部と、前記第２自由部と連なって前記厚さ方向において対向する第１自由部とを有し、前記固定部と前記第１及び第２自由部とがそれらを貫通する、互いに前記横方向において離間する一対の前記仮止め部において仮止めされており、前記止着域が前記一対の仮止め部間に位置する前記第１自由部の内面に位置する請求項１〜７のいずれかに記載の着用物品。
【請求項９】
前記テープファスナが、前記固定部を形成する第１テープ片と、前記自由部を形成する第２テープ片とから構成されており、前記自由部のうちの前記第２自由部において繊維不織布から形成された補助シートが積層される請求項１〜８のいずれかに記載の着用物品。
【請求項１０】
凸曲状の前記摘持部とそれに対向する前記第１ウエスト域の側部との間において、前記縦方向に延びる空間部が形成される請求項１〜９のいずれかに記載の着用物品。
【発明の詳細な説明】
【技術分野】
【０００１】
本発明は、使い捨てのパンツ型着用物品に関し、より詳しくは、テープファスナを有する使い捨てのパンツ型おむつ、使い捨てのトイレット・トレーニングパンツ等の使い捨てのパンツ型着用物品に関する。
【背景技術】
【０００２】
従来、テープファスナを有する使い捨てのパンツ型着用物品は公知である。例えば、特許文献１には、前後ウエスト域に複数条のウエスト弾性体が配設されており、前後ウエスト域を連結するシーム部に固定された一対のテープファスナを有する使い捨てのパンツ型の着用物品が開示されている。
【先行技術文献】
【特許文献】
【０００３】
【特許文献１】実開平６−７７７１９号公報
【発明の概要】
【発明が解決しようとする課題】
【０００４】
特許文献１に開示の着用物品によれば、着用中にテープファスナを使用することによって、ウエスト回りの大きさを調整して種々のサイズの着用者にもフィットさせてずり落ちを防止することができるとともに、着用後に、排泄物を包み込むように着用物品を丸め、テープファスナで丸めた状態が維持できるように止着することによって、衛生的に廃棄することができる。
【０００５】
しかし、かかる着用物品においては、ウエスト弾性体がシーム部においても伸長状態で固定されておりウエスト回り方向へ収縮するので、テープファスナの固定部がそれとともに収縮する一方、自由部はウエスト域に固定されていないので、着用者の身体に沿って曲状を有するウエスト域から離間して、その端部がウエスト域の外方へ突出することがある。通常、テープファスナは、操作中に変形、破断するのを防止するために、ウエスト域を形成するシート材料に比して高剛性のプラスチックシートから形成されていることから、このように突出した自由部の自由端が着用者の身体に触れることによって刺激を与えたり、不快感を与えるおそれがある。かかる不利益を防止するために、自由部全体を仮止めした場合には、テープファスナを展開するときに摘持部を摘持し難くなる。
【０００６】
そこで、本発明の課題は、従来の技術の改良であって、着用者の肌に触れても刺激を与えることなく、安定的に止着でき、かつ、操作性に優れたテープファスナを有する使い捨てのパンツ型着用物品を提供することにある。
【課題を解決するための手段】
【０００７】
本発明は、縦方向及びそれに直交する横方向を有し、非肌対向面及びその反対側の肌対向面と、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品に関する。
【０００８】
本発明の使い捨てのパンツ型着用物品は、前記第１及び第２ウエスト域のうちの少なくとも前記第１ウエスト域は前記横方向において弾性を有しており、前記テープファスナは、前記第１ウエスト域の前記側縁部の近傍に固定された固定部と、前記テープファスナを前記第２ウエスト域の前記非肌対向面に剥離可能に止着するための止着域を有する自由部とを含み、前記自由部は、前記止着域から前記横方向の外側に延びる摘持部と自由端とを有し、前記自由部の前記自由端が前記第１ウエスト域の側縁近傍の前記非肌対向面に分離可能に固定されており、前記第１ウエスト域における前記止着域と前記自由端との間の部位が収縮することによって、前記摘持部が凸曲した形状を有することを特徴とする。
【発明の効果】
【０００９】
本発明に係る使い捨てのパンツ型着用物品によれば、第１ウエスト域の側縁部近傍にテープファスナが取り付けられ、第１ウエスト域の収縮によってテープファスナの自由部のうちの摘持部が、第１ウエスト域の外面から離間する方向へ凸曲するので、着用者又は着用補助者が摘持部を摘み易く、操作性に優れている。また、第１ウエスト域の収縮によって固定部が起伏形状を有し、自由部が第２ウエスト域に止着された状態においてそれを後方へ引っ張ろうとする力が作用するので、テープファスナがより安定的に取り付けられる。さらに、固定部が第１ウエスト域の収縮によって起伏するほどに、テープファスナが比較的に柔軟な材料から形成されていることから、自由部の端縁が着用者の肌に触れても刺激を与えることはない。
【図面の簡単な説明】
【００１０】
【図１】本発明の第１実施形態における使い捨てのパンツ型着用物品の一例として示す、背面側から見た使い捨ておむつの斜視図。
【図２】おむつのサイドシーム部を剥離して前後方向に伸展した状態をその内面から見た一部破断展開平面図。
【図３】おむつの分解斜視図。
【図４】図２のＩＶ−ＩＶ線に沿う模式的断面図。
【図５】図２のＶ−Ｖ線に沿う模式的断面図。
【図６】図１のＶＩ−ＶＩ線に沿う模式的断面図。
【図７】テープファスナの使用状態を示す、正面側から見たおむつの斜視図。
【図８】テープファスナを使用して、おむつを丸めた状態を示す図。
【図９】図１のＩＸ−ＩＸ線に沿う断面図。
【図１０】おむつの製造工程の一部を示す図。
【図１１】第２実施形態におけるおむつの図６と同様の図。
【図１２】第３実施形態におけるおむつの図６と同様の図。
【図１３】第４実施形態におけるおむつの図６と同様の図。
【図１４】第５実施形態におけるおむつの図６と同様の図。
【発明を実施するための形態】
【００１１】
＜第１実施形態＞
図１〜４を参照すると、本発明の使い捨てのパンツ型着用物品の一例として示す使い捨ておむつ１０は、縦方向Ｙ及びそれに直交する横方向Ｘと、縦軸Ｐ及びそれに直交する横軸Ｑとを有する。
【００１２】
おむつ１０は、肌対向面及びそれに対向する非肌対向面と、ウエスト回り方向へ延びる環状の弾性ウエストパネル１１と、弾性ウエストパネル１１と接合される吸液構造体１２と、前ウエスト域（第１又は第２ウエスト域）１３と、後ウエスト域（第１又は第２ウエスト域）１４と、前後ウエスト域１３，１４間に位置するクロッチ域１５とを含む。おむつ１０は、縦軸Ｐに関して対称に形成されており、弾性ウエストパネル１１は、前ウエスト域１３に位置する前ウエストパネル１６と、後ウエスト域１４に位置する後ウエストパネル１７とから構成される。後ウエストパネル１７の両側縁部１８の外面には、それぞれ、テープファスナ２０の固定部２１が固定される。
【００１３】
前ウエスト域１３は、横方向Ｘへ延びる内端縁１３ａと、縦方向Ｙにおいて内端縁１３ａと離間対向して横方向Ｘへ延びる外端縁１３ｂと、内外端縁１３ａ，１３ｂ間において縦方向Ｙへ延びる両側縁１３ｃ，１３ｄとによって画定された横長矩形状を有する。
【００１４】
後ウエスト域１４は、横方向Ｘに延びる中間内端縁１４ａと、縦方向Ｙにおいて中間内端縁１４ａと離間対向して横方向Ｘに延びる外端縁１４ｂと、外端縁１４ｂから内方へ直状に延びる両側縁１４ｃ，１４ｄと、両側縁１４ｃ，１４ｄと中間内端縁１４ａとを曲状にむすぶ両側内端縁１４ｅ，１４ｆとによって画定された略台形状を有する。
【００１５】
前ウエスト域１３の両側縁１３ｃ，１３ｄのそれぞれと後ウエスト域１４の両側縁１４ｃ，１４ｄとは、互いに重ね合わされて、縦方向Ｙへ間欠的に位置するサイドシーム部２３によって連結され、ウエスト開口２４及び一対のレッグ開口とが画成される。サイドシーム部２３は、公知の接合手段、例えば、熱エンボス加工、ソニック加工等の各種の熱溶着手段によってなされる。テープファスナ２０は、その長さ方向において互いに対向する第１端（自由端）２０ａ及び第２端（固定端）２０ｂと、後ウエスト域１４の両側縁部１８に固定された固定部２１と、固定部２１と連続的に延びる自由部２２とを有する。テープファスナ２０の自由端２０ａは、おむつ１０の両側縁部に分離可能に固定される。
【００１６】
本実施形態において、テープファスナ２０は、後ウエスト域１４の両側縁部１８に取り付けられているが、後記の本発明の効果を奏する限りにおいて、一方の側縁部１８にのみ取り付けられていてもよいし、前ウエスト域１３の両側縁部に取り付けられていてもよい。
【００１７】
図３を参照すると、前ウエストパネル１６は、前ウエスト域１３を画定する矩形状の前ウエストシート２５を有する。前ウエストシート２５は、横方向Ｘに延び、互いに縦方向Ｙにおいて離間対向する内外端縁２５ａ，２５ｂと、縦方向Ｙに延び、内外端縁２５ａ，２５ｂ間に位置する両側縁２５ｃ，２５ｄとから形成される。前ウエストシート２５は、吸液構造体１２の前端部１２ａから縦方向の外側に位置する折曲部２６をさらに有し、該折曲部２６は、横方向Ｘ延びる折曲ライン２６ａに沿って縦方向Ｙの内側に折曲されて後記の前弾性シート４８及び吸液構造体１２の内面に固定される。前ウエストシート２５の折曲部２６から内方に位置する主体部２７と折曲部２６との間、主体部２７と吸液構造体１２の前端部１２ａとの間には、複数条のストランド状又はストリング状の前ウエスト弾性体２８が横方向Ｘに伸長状態で収縮可能に固定される。
【００１８】
前ウエストパネル１６は、前ウエストシート２５の主体部２７の内端縁２５ａ側に位置する少なくとも横方向Ｘに伸縮可能な前弾性シート４８をさらに有する。前ウエスト域１３は、前ウエスト弾性体２８と前弾性シート４８とによって全体が横方向Ｘにおいて弾性を有する。
【００１９】
後ウエストパネル１７は、後ウエスト域１４を画定する台形状の後ウエストシート３０を有する。後ウエストシート３０は、横方向Ｘに延び、互いに縦方向Ｙにおいて離間対向する中間内端縁３０ａ及び外端縁３０ｂと、縦方向Ｙへ延びる両外側縁３０ｃ，３０ｄと、両外側縁３０ｃ，３０ｄと内端縁３０ａとを結ぶ凹曲状の両側内端縁３０ｅ，３０ｆとから形成される。後ウエストシート３０は、主体部３１と、吸液構造体１２の後端部１２ｂ縦方向Ｙの外側に位置し、両側縁３０ｃ，３０ｄ間において横方向Ｘへ延びる折曲ライン３２と、折曲ライン３２を介して縦方向Ｙの内側に折曲されて吸液構造体１２の後端部１２ｂの内面と主体部３１の内面とに固定される折曲部３３とを有する。
【００２０】
後ウエストシート３０の主体部３１と、外折曲部３３及び吸液構造体１２の後端部１２ｂとの間には、複数条のストランド状又はストリング状の後ウエスト弾性体３５が横方向Ｘに伸長状態で収縮可能に配設される。また、後ウエストパネル１７は、その内端縁４９ａが後ウエストシート３０の内端縁３０ａ、その両側縁が両側内端縁３０ｅ，３０ｆと両外側縁３０ｃ，３０ｄの一部とそれぞれ重なる後弾性シート４９をさらに有する。後ウエストシート３０の両側内端縁３０と後弾性シート４９との間には、横方向Ｘへ延びるストリング状又はストランド状の臀部弾性体３６が固定される。後ウエスト域１４は、後ウエスト弾性体３５、後弾性シート４９及び臀部弾性体３６が配置されることによって、その全体が横方向Ｘにおいて弾性を有する。
【００２１】
前後ウエストシート２５，３０としては、質量が約１０〜４０ｇ／ｍ２であり、繊維密度が約０．０３〜０．１ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシート等を用いることができる。前後ウエスト弾性体２８，３５及び臀部弾性体３６は、例えば、太さが約３００〜５００ｄｔｅｘ、伸長倍率が１．５〜３．５倍のストリング状又はストランド状の弾性材料を用いることができるところ、その太さや伸長倍率は適宜変更することができる。前後ウエスト弾性体２８，３５と臀部弾性体３６とは、前後ウエスト域１３，１４が横方向Ｘに収縮するために、少なくとも横方向Ｘにおいて間欠的に塗布されたホットメルト接着剤を介して固定されていることが好ましい。
【００２２】
前後弾性シート４８，４９としては、例えば、質量が約２０〜４０ｇ／ｍ２、繊維密度が０．０１〜０．０４ｇ／ｃｍ３の範囲であるエラストマー繊維からなる伸縮性繊維不織布を用いることができる。前後弾性シート４８は、非伸長時の寸法よりも横方向Ｘに約２．４倍伸長された状態でそれぞれ前後ウエストシート２５，３０に固定される。
【００２３】
吸液構造体１２は、長方形状であって、前端部１２ａと、後端部１２ｂと、前後端部１２ａ，１２ｂ間に位置する中央部１２ｃとを有する。吸液構造体１２は、肌対向面側に位置し、透液性を有する繊維不織布製の身体側ライナ４０と、曲状の両側縁を有する吸収体４１と、吸収体４１の底面全体を覆う不透液性の防漏シート４２と、吸液構造体１２の非肌対向面全体を形成する疎水性の被覆シート４３とを有する。吸収体４１は、フラッフパルプと超吸収性ポリマー粒子等との混合物から形成された芯材と、芯材全体を被包するティッシュペーパ等の液吸収拡散性のコアラップシートとを含む。
【００２４】
被覆シート４３は、防漏シート４２の両側縁から横方向Ｘの外側に位置する両側部４４を有する。両側部４４は、防漏シート４２の両側縁に沿って内側に折曲され、防漏シート４２の内面と身体側ライナ４０の内面とに固定される。両側部４４の外側縁には、身体側ライナ４０の内面に固定されていない、スリーブ状の自由縁部４３ａが位置し、自由縁部４３ａの内部には縦方向Ｙへ延びる複数条のストリング状又はストランド状の弾性体４５が伸長状態で収縮可能に配設される。弾性体４５が収縮することによって、自由縁部４３ａが身体側ライナ４０から着用者の身体側へ離間し、着用者の大腿部にフィットして排泄物の漏れを防止する。また、被覆シート４３の両側部４４と防漏シート４２との間には、複数条のストリング状又はストランド状のレッグ弾性体４６が配設される。
【００２５】
図２を参照すると、後ウエスト域１４は、後ウエスト弾性体３５によって少なくとも横方向Ｘへの弾性を付与された第１弾性域５１と、第２弾性シート４９及び弾性体５０とによって少なくとも横方向Ｘへの弾性を付与された第２弾性域５２とを有する。テープファスナ２０の固定部２１は、後ウエスト域１４の両側部１８における第１弾性域５１に位置しており、後記のとおり、第１弾性域５１の収縮時においてその収縮力によって起伏形状を呈する。第１弾性域５１と第２弾性域５２とは、同一又は異なる伸長応力を有するものであって、着用者の下腹部を圧迫することなくおむつ１０をフィットさせ、かつ、着用時におけるずり下がり等を防止するために、第２弾性域５２の伸長応力が第１弾性域５１のそれよりも高いことが好ましい。
【００２６】
図５は、図２のＶ−Ｖ線に沿う断面図であって、後ウエスト域１４がその外面に皺が形成されない程度に縦方向Ｙ及び横方向Ｘに伸長された状態におけるテープファスナ２０の様子を示したものである。
【００２７】
図５を参照すると、後ウエスト域１４の外面に固定された一対のテープファスナ２０は、断面Ｚ字型に折り畳まれた１本のテープ片から形成される。テープファスナ２０の自由部２２は、固定部２１と連なりそれとテープファスナ２０の厚さ方向Ｚにおいて対向する第１自由部６１と、第１自由部６１に連なりそれと厚さ方向Ｚにおいて対向する第２自由部６２とを有する。固定部２１，第１及び第１自由部６１，６２は、積層された状態において第１及び第２折曲部５５，５６に位置する仮止め部６５，６６によって仮止めされる。自由部２２は、第１折曲部５５に位置する仮止め部６５から横方向Ｘの外側に延びる摘持部６３をさらに有する。仮止め部６５，６６間における第２自由部６２の内面には、メカニカルファスナのフック要素や粘着剤等（繊維不織布シートに止着するときには、好ましくは、フック要素）から形成された止着域６８が配置される。テープファスナ２０の自由端２０ａは、シーム部２３の横方向Ｘの外側に位置する外側縁１４ｄ近傍に接合部位６９を介して分離可能に固定される。
【００２８】
テープファスナ２０は、繊維不織布、少なくともその一部に、例えば、ポリエチレン、ポリプロピレン、ポリスチレン等の熱融着性の合成繊維を含むものであって、例えば、質量が約３０〜１００ｇ／ｍ２、好ましくは、約５０〜８０ｇ／ｍ２のスパンボンド繊維不織布を用いることができる。テープファスナ２０の自由端２０ａを側縁１４ｄ近傍に固定するための接合部位６９として、ホットメルト接着剤等の各種公知の接着手段を用いるほかに、後記のとおり、おむつ１０の製造時におけるカッター等の切断手段の加熱を利用して側縁１４ｄを形成する繊維不織布にテープファスナ２０の自由端２０ａを熱溶着させることもできる。
【００２９】
接合域６０には、例えば、質量約５〜２０ｇ／ｍ２のホットメルト接着剤を使用することができる。仮止め部６５，６６は、公知の加圧処理や加圧加熱処理を施すことによって形成することができ、例えば、エンボス処理またはソニック処理によって形成することができる。加圧加熱処理をする場合には、テープファスナ２０自体が熱可塑性の合成繊維を有するものであるから熱融着によってより安定的に仮止めすることができる。
【００３０】
図６は、図１のＶＩ−ＶＩ線に沿う断面図であって、後ウエスト域１４のうちの少なくとも後ウエスト弾性体３５が配置された第１弾性域５１には、横方向Ｘに連続する複数の皺７０が形成される。
【００３１】
図６を参照すると、おむつ１０の着用状態及び非着用状態において、後ウエスト域１４全体は後ウエスト弾性体３５によって横方向Ｘに収縮される。後ウエスト域１４における、テープファスナ２０の固定部２１の配置領域には、少なくとも１条の後ウエスト弾性体３５が位置しており、該弾性体３５の収縮力によって、固定部２１はウエスト回り方向へ連続する起伏形状を有する。
【００３２】
かかる状態において、自由部２２の第１自由部６１とそれに積層された第２自由部６２の一部が仮止め部６５，６６間において固定部２１から離間する。また、摘持部６３は、固定部２１の外端からシーム部２３までの間の寸法が小さくなることによって、側部１８から離間するように外方へ凸曲した形状を有する。また、固定部２１が後ウエスト域１４とともに収縮して着用者の身体の形状に沿うので、摘持部６３がより後ウエスト域１４から離間した態様となる。摘持部６３が後ウエスト域１４の側部１８から離間することによって、それらの間には縦方向Ｙに一連に延びる空間部６７が画定される。前記のとおり、テープファスナ２０の配置された領域において、後ウエスト弾性体３５が配設されていることによって、摘持部６３がその幅寸法全体において後ウエスト域１４の側部１８から離間するから、凸曲した摘持部６３全体を摘んで容易に引っ張ることができる。
【００３３】
このように、摘持部６３が後ウエスト域１４の側部１８から離間した凸曲状を有することによって、テープファスナ２０を展開するときに摘み易く、摘持部６３が側部１８から離間していない場合に比して、操作性に優れる。本実施形態と異なり、後ウエスト域１４の収縮状態において、自由端２０ａを含めて摘持部６３全体が側部１８に非固着である場合には、摘持部６３の自由端２０ａが側縁１４ｄよりも外側に延出し、着用操作中に着用者又は着用補助者の肌に触れて刺激するおそれがある。
【００３４】
本実施形態におけるテープファスナ２０によれば、摘持部６３が後ウエスト域１４の側縁部１８から厚さ方向Ｚの外側へ凸曲するので、着用者及び着用補助者は、かかるループ状の摘持部６３を指で摘んで引っ張り上げることができ、比較的に簡易にテープファスナ２０を展開することができる。また、自由端２０ａが止着部６９を介して止着されていることから、自由端２０ａが着用者の肌に当たって刺激したりするおそれはない。さらに、テープファスナ２０は比較的に柔軟な材料である繊維不織布で形成されているので、後ウエスト域１４の後ウエスト弾性体３５の収縮作用を利用することによって摘持部６３を凸曲状とすることができるとともに、不意に止着部６９の止着が解除されて自由端２０ａが着用者又は着用補助者の肌に触れたとしても、それが比較的に高剛性のプラスチックシートから形成されている場合に比して、強い刺激を与えるおそれはない。
【００３５】
また、経験上、互いに積層された、固定部２１と第１自由部６１とが仮止めされ、第１自由部６１と第２自由部６２とがそれとは異なる位置で仮止めされている場合には、すべての仮止めを解除するために、摘持部６３を摘んだ状態でそれを後ウエスト域１４の内方へ一度折り返した後に、外方へ引っ張り上げる操作（ツーステップ）等が必要になるところ、本実施形態においては、固定部２１と、第１及び第２自由部６１，６２とが同じ仮止め部６６，６５において一緒に仮止めされているので、摘持部６３を摘んで自由端２０ａを側縁１４ｄ近傍から剥がした後、矢印Ｆの方向へ引っ張ることによって、仮止め部６５，６６が全て解除されるので、一度の操作（ワンステップ）でテープファスナ２０を展開することができる。
【００３６】
図７を参照すると、摘持部６３を摘んで引っ張り上げてテープファスナ２０を展開し、自由部２２を止着域６８を介して前ウエスト域１３の外面に固定することによって、前後ウエスト域１３，１４のウエスト回りの寸法を小さくすることができ、着用者のウエスト回りの大きさが変化してもそれに合わせたサイズ調整が容易である。また、おむつ１０の内面には、前後弾性シート４８，４９が配置されているので、臍部近傍が比較的に柔らかな乳児に対して、テープファスナ２０によってウエスト回りの寸法を小さくして身体にフィットさせても、圧迫感を与えるおそれはない。
【００３７】
また、テープファスナ２０が比較的に剛性の高いプラスチックシートから形成されている場合には、前ウエスト域１３の外面に沿って曲がり難く、前ウエスト域１３全体を着用者の身体にフィットさせ難いおそれがあるところ、テープファスナ２０が繊維不織布から形成されていることから、かかる止着状態において、自由部２２が前ウエスト域１３の外面から浮き上がることなくフィットして前ウエスト域１３を着用者の身体側へ押し付けることができる。
【００３８】
図８は、おむつ１０を廃棄する態様の一例を示すものであって、まず、おむつ１０の使用後に、シーム部２３を剥離して前後ウエスト域１３，１４の両側縁部を離間させ、該両側縁部を内側へ折り曲げ、クロッチ域１５を前後ウエスト域１３，１４に向かって丸め込むように折り曲げる。次に、テープファスナ２０の自由部２２を止着域６８を介してクロッチ域１５の外面に止着する。これにより、おむつ１０を丸めた状態を保持することができ、排泄物を外部に漏らすことなく衛生的に廃棄することができる。
【００３９】
図９を参照すると、おむつの着用時であってテープファスナ２０が展開されてない状態において、接合部位６９が後ウエスト域１４の外側縁１４ｄ近傍に位置することによって、両側縁部全体が後方へ引っ張られ、僅かに後方へ反り返ったような状態となる。本実施形態に係るおむつ１０のように、弾性ウエストパネル１１と吸液構造体１２とが別体から形成されている場合には、おむつ１０の両側縁部が横方向Ｘへ張り出したような形状を有するところ、両側縁部が後方へ反り返ることによって、おむつ１０の正面視においてすっきりとした印象を与えることができる。
【００４０】
図１０は、おむつ１０の製造工程の一部を示すものである。図１０を参照すると、おむつ１０の製造工程において、後ウエストシート３０の基材となる繊維ウエブ７５を機械方向ＭＤに搬送する。繊維ウエブ７５の第１面には、断面Ω状であって内面に一対のメカニカルファスナのフック要素等からなる止着域６８を備えた繊維不織布製のテープ基材７６が固定されている。テープ基材７６の固定両端部７８，７９間においてテープ基材７６とともに繊維ウエブ７５を機械方向ＭＤと交差する方向に延びるカットライン８０に沿って加熱されたカッター等を用いてカットすることによって、テープファスナ２０を有する複数の後ウエストシート３０を得ることができる。かかるカット工程において、テープ基材７６と繊維ウエブ７５とがカッターによって同時に切断されるとき、カッターの加熱で切断部位において繊維ウエブ７５とテープ基材７６とを構成する熱可塑性繊維どうしが熱融着され、テープファスナ２０の接合部位６９が形成される。かかる製造方法によっておむつ１０を製造することによって、テープファスナ２０の自由端２０ａの端縁と後ウエスト域１４の側縁１４ｄとは、テープファスナ２０の厚さ方向Ｚにおいてほぼ面一となる。
【００４１】
接合部位６９を形成する方法として、かかるカット工程を利用する方法のほかに、繊維不織布のテープ基材７６と繊維不織布からなる後ウエストシート３０とをホットメルト接着剤や粘着剤で止着したり、エンボスピンで加圧して繊維どうしを機械的に交絡させてもよい。繊維どうしを機械的に交絡させてテープ基材７６と後ウエストシート３０とを剥離可能に接合する場合には、熱融着によって接合する場合に比して接合部位６９が柔軟であって、着用者の肌に当たっても刺激を与えるおそれはない。
【００４２】
＜第２実施形態＞
図１１を参照すると、本実施形態に係るテープファスナ２０は、固定部２１を形成する第１テープ片８１と、第１自由部６１を形成する第２テープ片８２及び第２自由部６２を形成する第３テープ片８３とから構成される。第１テープ片８１と第２テープ片８２とは、第１接合部８４において互いに接合されており、第２テープ片８２と第３テープ片８３とは、第２接合部８５において互いに接合される。仮止め手段６５，６６は、第１及び第２接合部８４，８５に位置し、それらのテープ片どうしの積層状態が維持される。第１及び第２接合部８４，８５において、複数のテープ片が積層されるので、仮止め部６５，６６における加圧・加熱加工が施し易く、より強固に積層されたテープ片どうしを仮り止めすることができる。図示していないが、本実施形態のほかに、固定部２１が第１テープ片８１から形成され、第１及び第２自由部６１，６２を含む自由部６２全体が第２テープ片８２から形成されていてもよい。
【００４３】
＜第３実施形態＞
図１２を参照すると、本実施形態に係るテープファスナ２０は、固定部２１と自由部２２とが一連に延びる１本のテープから形成されており、コの字状に折曲されている。このように、テープファスナ２０が複数折曲されてない場合であっても、本発明による効果を奏することができる。
【００４４】
＜第４実施形態＞
第１３図を参照すると、本実施形態にかかるテープファスナ２０は、固定部２１と自由部２２とが一連に延びる１本のテープから形成され、かつ、テープファスナ２０の自由端２０ａと固定端２０ｂとは、側縁１４ｄとほぼ一致するように互いに重なって位置する。テープファスナ２０の自由端２０ａは、接合部位６９を介して固定端２０ｂに剥離可能に固定され、摘持部６３は凸曲状を有する。テープファスナ２０の自由端２０ａと固定端２０ｂとは同一の繊維不織布から形成されるので、それらを加熱手段によって接合する場合には、異なる繊維から構成される場合に比べて繊維どうしが融着し易く、より安定的に仮止めすることができる。
【００４５】
＜第５実施形態＞
図１４を参照すると、本実施形態にかかるテープファスナ２０は、固定部２１を形成する第１テープ片９１と、断面コ字状に折り曲げられた、自由部２２を形成する第２テープ片９２と、自由部２２のうちの第２自由部６２において第２テープ片９２に積層された補助シート９５とから構成される。第１テープ片９１は、その一端が折り曲げられており、該折曲部において接合部９３を介して第２テープ片９２と固定される。第２テープ片９２は、接合部９３近傍に位置する第１端９２ａと、テープファスナ２０の自由端２０ａをなす第２端とを有する。かかる積層状態において、固定部２１と自由部２２とは、接合部９３に位置する仮止め部６５と、第２テープ片９２の折曲部近傍に位置する仮止め部６６及び第２テープ片９２の第１端９２ａに位置する仮止め部９４とによって仮止めされる。
【００４６】
第１自由部６１は、１つのテープから形成されているので比較的に剛性が低く柔軟であって、後ウエスト域１４の収縮によって複数の皺が生じ、摘持部６３が安定的に凸曲状を呈する。一方、止着域６８を有する第２自由部６２の剛性が比較的に低い場合には、テープファスナ２０の操作中に摘持部６３がちぎれたり、摘み難くなったりするおそれがある。本実施形態におけるテープファスナ２０においては、第２自由部６２に別体の補助シート９５が積層されているので、比較的に剛性が高く、テープファスナ２０を形成するテープの剛性を比較的に低くしても操作中に摘持部６３がちぎれたりするおそれはない。
【００４７】
おむつを構成する各構成部材には、特に限定されている場合を除き、本明細書に記載されている材料のほかに、この種の分野において通常用いられている、各種公知の材料を制限なく使用することができる。また、おむつは、前ウエスト域と、後ウエスト域と、クロッチ域とが一連に形成された態様であってもよい。本明細書及び特許請求の範囲において、用語「第１」、「第２」及び「第３」は、同種の要素、位置等を単に区別するために用いられている。
【００４８】
以上に記載の本発明に関する開示は、少なくとも下記事項に要約することができる。
【００４９】
縦方向及びそれに直交する横方向を有し、非肌対向面及びその反対側の肌対向面と、前後ウエスト域の一方である第１ウエスト域と、前記前後ウエスト域の他方である第２ウエスト域と、前記第１及び第２ウエスト域間に位置するクロッチ域とを含み、前記第１及び第２ウエスト域において前記縦方向へ延びる側縁部どうしが互いに重なり合って接合され、前記第１ウエスト域の側縁部の近傍においてテープファスナが取り付けられた使い捨てのパンツ型着用物品において、前記第１及び第２ウエスト域のうちの少なくとも前記第１ウエスト域は前記横方向において弾性を有しており、前記テープファスナは、前記第１ウエスト域の前記側縁部の近傍に固定された固定部と、前記テープファスナを前記第２ウエスト域の前記非肌対向面に剥離可能に止着するための止着域を有する自由部とを含み、前記自由部は、止着域から前記横方向の外側に延びる摘持部と自由端とを有し、  前記自由部の前記自由端が前記第１ウエスト域の側縁近傍の前記非肌対向面に分離可能に固定されており、前記第１ウエスト域における前記止着域と前記自由端との間の部位が収縮することによって、前記摘持部が凸曲した形状を有することを特徴とする前記着用物品。
【００５０】
上記段落００４９に開示した本発明は、少なくとも下記の実施の態様を含むことができる。下記の実施の態様は、単独又はそれらの組み合わせであってもよい。
（１）前記固定部と前記自由部とは、前記止着域よりも前記横方向の外側に位置する仮止め部において仮止めされており、前記仮止め部と前記自由端との間に前記摘持部が形成される。
（２）前記テープファスナが、繊維不織布から形成される。
（３）前記止着域は、メカニカルファスナのフック要素である。
（４）前記テープファスナと前記第１ウエスト域の前記側縁部の前記非肌対向面とは、それぞれ、熱可塑性繊維を含む繊維不織布から形成されており、前記自由部の端縁は、前記側縁近傍において、繊維どうしを融着又は機械的に交絡させることによって分離可能に接合される。
（５）前記自由端の端縁と前記第１ウエスト域の前記側縁とが前記テープファスナの厚さ方向においてほぼ面一である。
（６）前記仮止め部は、前記テープファスナの積層された部分に加圧及び加熱加圧のいずれかの処理を施してある。
（７）前記自由部は、折曲された状態で前記固定部に仮止めされており、前記固定部と連なって前記テープファスナの厚さ方向において対向する第２自由部と、前記第２自由部と連なって前記厚さ方向において対向する第１自由部とを有し、前記固定部と前記第１及び第２自由部とがそれらを貫通する、互いに前記横方向において離間する一対の前記仮止め部において仮止めされており、前記止着域が前記一対の仮止め部間に位置する前記第１自由部の内面に位置する。
（８）前記テープファスナが、前記固定部を形成する第１テープ片と、前記自由部を形成する第２テープ片とから構成されており、前記自由部のうちの前記第２自由部において繊維不織布から形成された補助シートが積層される。
（９）凸曲状の前記摘持部とそれに対向する前記第１ウエスト域の側部との間において、前記縦方向に延びる空間部が形成される。
【符号の説明】
【００５１】
１０  使い捨てのパンツ型着用物品（使い捨ておむつ）
１３  前ウエスト域（第１又は第２ウエスト域）
１４  後ウエスト域（第１又は第２ウエスト域）
１５  クロッチ域
１８  側縁部
２０  テープファスナ
２０ａ  第１端（自由端）
２０ｂ  第２端（固定端）
２１  固定部
２２  自由部
６８  止着域
６１  第１自由部
６２  第２自由部
６３  摘持部
６５，６６  仮止め部
６７  空間部
９１  第１テープ片
９２  第２テープ片
９４  補助シート
【図１】
2014046049.tif 000003
【図２】
2014046049.tif 000004
【図３】
2014046049.tif 000005
【図４】
2014046049.tif 000006
【図５】
2014046049.tif 000007
【図６】
2014046049.tif 000008
【図７】
2014046049.tif 000009
【図８】
2014046049.tif 000010
【図９】
2014046049.tif 000011
【図１０】
2014046049.tif 000012
【図１１】
2014046049.tif 000013
【図１２】
2014046049.tif 000014
【図１３】
2014046049.tif 000015
【図１４】
2014046049.tif 000016